(57)【要約】      （修正有）【課題】従来、着衣安定補助用の調整紐は、出入口に一つずつ穴の空いたポケット型通路の内部に通されていた。しかし、消費者が使用するうちに、誤って片側の穴から長く紐を引き出しすぎて、もう片方の穴では紐が中に入ってしまった場合などに、元に修正するのに非常に困難である。全部抜取ってしまった場合はなおさらで、これらの事は日常よくある事で不便である。【解決手段】従来閉塞されていたポケット型通路の両出入口間を、適当な間隔で表面の布を取り払った部分２を設けるか、または布の内部を通す構造をやめて、表面に適当な間隔で布を取り付けて筒状の空間を複数作り、そこに紐を通す。この考案により通路を通る調整紐１が露わになる部分ができ、直に調整紐１に触って取り扱えるようになり、片寄ってしまった調整紐の修正が格段に容易になり、この課題が解決する。【選択図】図１
0003126357.tif 000002
【実用新案登録請求の範囲】
【請求項１】
スポーツウェア、トレーニングウェア、パーカーウェア、スウェットシャツ、スウェットパンツ、ショートパンツ、以上の例と類似する形態を備えた他の衣類（ベビー用衣類を含む）において、ズボンのウエスト部、上着の下部の裾部、頭部を覆うフード部に設けられた従来の閉塞されていた調整紐の両出入口間のポケット型通路を、適時適当な間隔で布を取り払い、中を通る紐が露わになる部分を配置し、通路間を通る調整紐を直に手で触って取り扱えるようにした形状、構造。また、従来の形状、構造では、通常、衣類の体側に面した部分か、もしくは体側にも外気側にも面した裾の縁の部分のいずれかにに装備されていたが、本考案は、衣類の外気側に面した部分に装備する場合も含む。
【請求項２】
スポーツウェア、トレーニングウェア、パーカーウェア、スウェットシャツ、スウェットパンツ、ショートパンツ、以上の例と類似する形態を備えた他の衣類（ベビー用衣類を含む。）において、ズボンのウエスト部、上着の下部の裾部、頭部を覆うフード部に設けられた、調整紐を両出入口から布の内部のポケット型通路へ引き入れていた従来の構造をやめ、表面の布の上に調整紐が通るラインを設け、そこに通常の衣服用ベルトの通路の要領で適時適当な間隔で適時適当な数と大きさの布を筒状の空間ができるように取り付け（もしくは最初から衣類本体の布やその周囲一帯の布の派生延長の形で、この用途を意図した部分を裁断の段階で適時適当な大きさと間隔で適時適当数組み入れて筒状の空間を作ってある場合も含む）、そこに紐を通す。請求項１と同じく、通路を通る紐を直に手で触って取り扱えるようにした形状、構造。また請求項１と同じく、本考案は、衣類の外気側に面した部分に装備する場合も含む。
【請求項３】
請求項１，２において、露わになった部分の通路を通る調整紐が、通路のラインを外れて下方（上着の下部の裾部、ズボンのウエスト部の場合）または前方か後方（上着のフード部の場合）にたるんでしまう事がないように、その部分の紐の下部や前後部に、通路に平行して適度な大きさと形状のスポンジ、またはそれに類似する効果のある代替素材を取り付けて布で覆う。そうすることでその部分が隆起する。よって調整紐がその部分に支えられ、たるんでしまうことを防ぐ形状、構造。請求項１，２と同じく、本考案は、衣類の外気側に面した部分に装備する場合も含む。
【考案の詳細な説明】
【技術分野】
【０００１】  本考案は、一部の衣類が備えている着衣の安定を補助する調整紐の装備の形状、構造に関する。
【背景技術】
【０００２】  本考案対象衣類（スポーツウェア、トレーニングウェア、スウェットシャツ、スウェットパンツ、パーカーウェア、ショートパンツ、以上の例と類似の形態を備えた他の衣類、ベビー用衣類も含む）では、通常、調整用の紐を適所に設けて、それを引き絞ることで着衣の安定を図る構造を備えている。そして従来の着衣安定補助用の調整紐１は入口と出口にそれぞれ一つずつ穴が空いたポケット型通路９の内部（同じく着衣の安定用のゴムが装備された通路と共有の空間となっている場合が多い。）に引き入れて通されていた（図１１）（図１２）（図１３）。
【考案の開示】
【考案が解決しようとする課題】
【０００３】  しかし、これでは、消費者が使用するうちにしばしば起こる、誤って片側の穴から片寄って長く調整紐を引き出してしまって、もう片一方の穴では調整紐が穴の中にはいってしまっている場合などに、元の状態に戻すのに非常に困難である。全部調整紐を抜きとってしまった場合はなおさらである。以上のような事は、着衣の際の誤りだけでなく、洗濯をする際の取扱いの中で引き出てしまったりしていることも考えられるし、その他特定しにくい何らかの原因もあるように思われ、よくあることで不便である。さらに調整紐を別のものに交換したいときも不便である。そこでこのような課題を解決する形状、構造を提供する。
【課題を解決するための手段】
【０００４】  そこで請求項１の考案では、これまで閉塞されていたポケット型の通路９の両出入口間を、適時適当な間隔で表面の布を取り払い、中を通る紐が露わになる部分を配置し、通路間を通る調整紐１を直に手で触って扱えるようにする（図１）（図５）（図７）。【０００５】  また、請求項２の考案では、調整紐１を両出入口から衣類の内部のゴムの通路と共用されている事の多いポケット型通路９へ引き入れていた従来の構造をやめ、表面の布の上に紐が通るラインを設け、そこに通常の衣服用ベルトの通路の要領で適時適当な間隔で適時適当な数と大きさの布を筒状の空間ができるように取り付け、できた複数の筒状の空間に調整紐１を通す（図２）（図３）（図６）（図８）。また最初から衣類本体の布やその周囲一帯の布の派生延長の形で、この用途を意図した部分を裁断の段階で適時適当な大きさと間隔で適時適当数組み入れて筒状の空間を複数作ってある場合も含む（図４）。
【考案の効果】
【０００６】  よって、本考案の着衣補助用調整紐の装備の形状、構造の改良により、誤って調整紐を片一方に長く引き出してしまったり、引き抜いてしまった場合や、洗濯の際や何らかの理由で間違ってそういった状態になってしまった場合などに、今まで閉塞されていた両出入口間のポケット型通路を通っていた場合と違って、調整紐に直に触わって取り扱えるようになり、元の状態に戻す作業を格段に容易にすることができる。また、調整紐を別の物に取り替えたい場合などにも同じく便利になる。
【考案を実施するための最良の形態】
【０００７】  本考案の対象となる衣類は、スポーツウェア。トレーニングウェア、パーカーウェア、スウェットシャツやスウェットパンツ、ショートパンツ、そして以上の例と類似する形態を備える他の衣類（ベビー用衣類を含む。）であり、それらに装備されるウエスト部と、上着の下部の裾部と、頭部を覆う上着のフード部の調整紐１が、図１，２，５，６，７，８，のように、布を取り払った通路部分２や布を取り付けた通路部分３のように、通された通路の所々で露わになっている事により直に手で触って扱えるようにしている。また、請求項３の考案では、露わになった部分の通路を通る調整紐１が、図１４，１５，１６，１７のように紐の通路を外れて下方（上着の下部の裾部、ズボンのウエスト部の場合）、または前後方（上着のフード部の場合）にたるんでしまう事がないように、その部分の紐の下部や前後部に、通路に平行にして適度な大きさと形状の布で覆われたスポンジ８、８′またはそれに類似する効果のある代替素材を取り付けて布で覆う。そうすることでその部分が隆起する。よって調整紐がその部分に支えられ、大きくたるんでしまう事を防ぐ（図９）（図１０）。
【図面の簡単な説明】
【０００８】
【図１】  本考案に係る対象衣類の、ズボンのウエスト部における請求項１の形状、構造の斜視図である、
【図２】  本考案に係る対象衣類の、ズボンのウエスト部における請求項２の、適時適当な対処で布を取り付けた部分３を配置した形状、構造の斜視図である。
【図３】  本考案に係る対象衣類の、ズボンのウエスト部、上着の下部の裾部、双方における請求項２の、適時適当な対処で布を取り付けた部分３を配置した形状、構造の斜視図であり、図２、図６の布を取り付けた部分３とそこの周囲の拡大図である。
【図４】  本考案に係る対象衣類の、ズボンのウエスト部、上着の下部の裾部、双方における請求項２の、適時適当な対処で、裁断時に布を組み入れた部分４を配置した形状、構造の斜視図であり、図３と同程度の拡大サイズである。
【図５】  本考案に係る対象衣類の、上着の下部の裾部における請求項１の形状、構造の正面図である。
【図６】  本考案に係る対象衣類の、上着の下部の裾部における請求項２の形状、構造の正面図である。
【図７】  本考案に係る対象衣類の、上着の頭部を覆うフード部における請求項１の形状、構造の正面図である。ここでは調整紐がフードの縁部分を通る場合。
【図８】  本考案に係る対象衣類の、上着の頭部を覆うフード部における請求項２の形状、構造の正面図である。ここでは調整紐がフードの縁部分を通る場合。
【図９】  本考案に係る対象衣類の、ズボンのウエスト部、上着の下部の裾部、双方における請求
【図１０】  本考案に係る対象衣類の、上着の頭部を覆うフード部における請求項３の、調整紐１のたるみを防ぐ、布で覆われたスポンジ８、スポンジ８′を取り付けた形状、構造の斜視図であり、図９と同程度の拡大サイズである。ここではフードの頭部側に面した部分に調整紐が通る場合。
【図１１】  本考案の対象衣類の、ズボンのウエスト部における従来の着衣安定補助用の調整紐１の装備の形状、構造の正面図である。
【図１２】  本考案に係る対象衣類の、上着の下部の裾部における従来の着衣安定補助用の調整紐１の装備の形状、構造の正面図である。
【図１３】  本考案に係る対象衣類の、上着の頭部を覆うフード部における従来の着衣安定補助用の調整紐１の装備の形状、構造の正面図である。
【図１４】  本考案に係る対象衣類の、ズボンのウエスト部における請求項２の考案の形状、構造において、調整紐１が、下方にたるんだ状態の斜視図。
【図１５】  本考案に係る対象衣類の、上着の下部の裾部における請求項２の考案の形状、構造において、調整紐１が、下方にたるんだ状態の正面図。
【図１６】  本考案に係る対象衣類の、上着のフード部における請求項２の考案の形状、構造において、調整紐１が、前方にたるんだ状態の斜視図。ここでは調整紐がフードの外気側に面した部分を通っている場合。
【図１７】  本考案に係る対象衣類の、上着のフード部における請求項２の考案の形状、構造において、調整紐１が、後方にたるんだ状態の斜視図。ここでは調整紐がフードの外気側に面した部分を通る場合。
【符号の説明】
【０００９】      １    調整紐
２    （請求項１タイプの）布を取り払った通路部分
３    （請求項２タイプの）布を取り付けた通路部分
４    （請求項２タイプの）裁断時に布を組み入れた通路部分
５    本考案対象衣類のズボン
６    本考案対照衣類の上着
７    本考案対照衣類の頭部のフード部
８  ８′  （請求項３における）布で覆われたスポンジ
９    （本考案対象衣類における）従来のポケット型通路
１０  下方にたるんだ調整紐１
１１  前方にたるんだ調整紐１
１２  後方にたるんだ調整紐１
【図１】
0003126357.tif 000003
【図２】
0003126357.tif 000004
【図３】
0003126357.tif 000005
【図４】
0003126357.tif 000006
【図５】
0003126357.tif 000007
【図６】
0003126357.tif 000008
【図７】
0003126357.tif 000009
【図８】
0003126357.tif 000010
【図９】
0003126357.tif 000011
【図１０】
0003126357.tif 000012
【図１１】
0003126357.tif 000013
【図ｌ２】
0003126357.tif 000014
【図１３】
0003126357.tif 000015
【図１４】
0003126357.tif 000016
【図１５】
0003126357.tif 000017
【図１６】
0003126357.tif 000018
【図１７】
0003126357.tif 000019
【手続補正書】
【提出日】平成18年3月29日(2006.3.29)
【手続補正２】
【補正対象書類名】図面
【補正対象項目名】全図
【補正方法】変更
【補正の内容】
【図１】
0003126357.tif 000020
【図２】
0003126357.tif 000021
【図３】
0003126357.tif 000022
【図４】
0003126357.tif 000023
【図５】
0003126357.tif 000024
【図６】
0003126357.tif 000025
【図７】
0003126357.tif 000026
【図８】
0003126357.tif 000027
【図９】
0003126357.tif 000028
【図１０】
0003126357.tif 000029
【図１１】
0003126357.tif 000030
【図１２】
0003126357.tif 000031
【図１３】
0003126357.tif 000032
【図１４】
0003126357.tif 000033
【図１５】
0003126357.tif 000034
【図１６】
0003126357.tif 000035
【図１７】
0003126357.tif 000036
【手続補正書】
【提出日】平成18年6月28日(2006.6.28)
【手続補正１】
【補正対象書類名】実用新案登録請求の範囲
【補正対象項目名】全文
【補正方法】変更
【補正の内容】
【実用新案登録請求の範囲】
【請求項１】
一般に以下の呼称で呼ばれる衣類
（１）スポーツウェア
（２）トレーニングウェア
（３）ジャージ
（４）パーカーウェア
（５）スウェットシャツ
（６）スウェットパンツ
（７）ショートパンツ
（８）（１）〜（７）と同形態のベビー用衣類
において、ズボンのウエスト部、上着の下方の裾部、頭部を覆うフード部に設けられた従来の閉塞されていた調整紐の両出入口間のポケット型通路を、随時適当な間隔で布を取り払い、中を通る紐が露わになる部分を配置し、通路間を通る調整紐を直に手で触って取り扱えるようにした形状、構造。
【請求項２】
一般に以下の呼称で呼ばれる衣類
（１）スポーツウェア
（２）トレーニングウェア
（３）ジャージ
（４）パーカーウェア
（５）スウェットシャツ
（６）スウェットパンツ
（７）ショートパンツ
（８）（１）〜（７）と同形態のベビー用衣類
において、ズボンのウエスト部、上着の下方の裾部、頭部を覆うフード部に設けられた調整紐について、両出入口から内部のポケット型通路へ引き入れていた従来の構造ではなく、表面の布の上に随時適当な数と大きさで筒状の空間を設け、そこに紐を通す事により、通路を通る紐に直に手で触って取り扱えるようにした形状、構造。
【請求項３】
請求項２において、露わになった部分を通る調整紐が大きくたるんでしまうことがないように、露わになった部分を通る紐に平行して適度な大きさと形状のスポンジ、またはそれに類似する効果のある代替素材を適当数取り付けて布で覆い、その部分を隆起させて、紐が隆起した部分に支えられることにより、たるみを防ぐ形状、構造。
【手続補正２】
【補正対象書類名】明細書
【補正対象項目名】０００２
【補正方法】変更
【補正の内容】
【０００２】    以下の本考案対象衣類
（１）スポーツウェア
（２）トレーニングウェア
（３）ジャージ
（４）パーカーウェア
（５）スウェットシャツ
（６）スウェットパンツ
（７）ショートパンツ
（８）（１）〜（７）の例と同形態のベビー用衣類
では、通常、ウエスト部、上着の下部の裾部、頭部を覆うフード部に調整紐を設けて、それを引き絞ることで着衣の安定を補助する構造を備えている。そして従来の調整紐１は入口と出口にそれぞれ１つずつ穴が空いたポケット型通路９の内部に引き入れて通されていた。（図１１）（図１２）（図１３）
【手続補正３】
【補正対象書類名】明細書
【補正対象項目名】０００４
【補正方法】変更
【補正の内容】
【０００４】  そこで請求項１の考案では、これまで閉塞されていたポケット型通路９の両出入口間を、随時適当な間隔で表面の布を取り払い、中を通る紐が露わになる部分を配置し、通路間を通る調整紐１を直に手で触って扱えるようにする。（図１）（図５）（図７）
【手続補正４】
【補正対象書類名】明細書
【補正対象項目名】０００５
【補正方法】変更
【補正の内容】
【０００５】  また、請求項２の考案では、調整紐１を両出入口から衣類の内部のポケット型通路９へ引き入れていた従来の構造ではなく、表面の布の上に随時適当な間隔で随時適当な数と大きさで筒状の空間を設け、そこに調整紐１を通す。（図２）（図３）（図６）（図８）
【手続補正５】
【補正対象書類名】明細書
【補正対象項目名】０００７
【補正方法】変更
【補正の内容】
【０００７】  請求項２の考案を実施する際、露わになった調整紐１が、（図１４）、（図１５）のように下方にたるんでしまったり、（図１６）、（図１７）のように前後にたるんでしまう事がないように、露わになった各部分を通る調整紐に平行して紐の下部（ズボンのウエスト部と上着の裾部の場合）や紐の両サイド（頭部のフードの場合）に、紐に平行して適度な大きさと形状のスポンジ８、８´（図９）（図１０）、またはスポンジに類似する効果のある代替素材を、適当数取り付けて布で覆う。それによりそれらの各部分が隆起することによって、調整紐がその部分に支えられ、たるんでしまう事を防ぐ。なぜスポンジかというと、硬度のある素材ではスポーツをする際何かにぶつかった時の衝撃や、家でくつろぐ際寝転がった時などに痛みやダメージを消費者の体に与えてしまう恐れがある。ゆえにスポンジの柔らかさが適しており、調整紐の支えとしても十分機能するからである。この形状、構造は請求項３の考案である。ちなみに請求項３は基本的に形状、構造に関してであるから、使用する素材のスポンジについては、望ましいということであり、代替素材の使用は適宜考案使用者の判断による。
【手続補正６】
【補正対象書類名】明細書
【補正対象項目名】０００８
【補正方法】変更
【補正の内容】
【０００８】
【図１】  本考案に係る対象衣類の、ズボンのウエスト部における請求項１の形状、構造の斜視図である、
【図２】  本考案に係る対象衣類の、ズボンのウエスト部における請求項２の、適時適当な対処で布を取り付けた部分３を配置した形状、構造の斜視図である。
【図３】  本考案に係る対象衣類の、ズボンのウエスト部、上着の下部の裾部、双方における請求項２の、適時適当な対処で布を取り付けた部分３を配置した形状、構造の斜視図であり、図２、図６の布を取り付けた部分３とそこの周囲の拡大図である。
【図４】  本考案に係る対象衣類の、ズボンのウエスト部、上着の下部の裾部、双方における請求項２の、適時適当な対処で、裁断時に布を組み入れた部分４を配置した形状、構造の斜視図であり、図３と同程度の拡大サイズである。
【図５】  本考案に係る対象衣類の、上着の下部の裾部における請求項１の形状、構造の正面図である。
【図６】  本考案に係る対象衣類の、上着の下部の裾部における請求項２の形状、構造の正面図である。
【図７】  本考案に係る対象衣類の、上着の頭部を覆うフード部における請求項１の形状、構造の正面図である。ここでは調整紐がフードの縁部分を通る場合。
【図８】  本考案に係る対象衣類の、上着の頭部を覆うフード部における請求項２の形状、構造の正面図である。ここでは調整紐がフードの縁部分を通る場合。
【図９】  本考案に係る対象衣類の、ズボンのウエスト部、上着の下部の裾部、双方における請求
【図１０】  本考案に係る対象衣類の、上着の頭部を覆うフード部における請求項３の、調整紐１のたるみを防ぐ、布で覆われたスポンジ８、スポンジ８′を取り付けた形状、構造の斜視図であり、図９と同程度の拡大サイズである。ここではフードの頭部側に面した部分に調整紐が通る場合。
【図１１】  本考案の対象衣類の、ズボンのウエスト部における従来の着衣安定補助用の調整紐１の装備の形状、構造の斜視図である。
【図１２】  本考案に係る対象衣類の、上着の下部の裾部における従来の着衣安定補助用の調整紐１の装備の形状、構造の正面図である。
【図１３】  本考案に係る対象衣類の、上着の頭部を覆うフード部における従来の着衣安定補助用の調整紐１の装備の形状、構造の正面図である。
【図１４】  本考案に係る対象衣類の、ズボンのウエスト部における請求項２の考案の形状、構造において、調整紐１が、下方にたるんだ状態の斜視図。
【図１５】  本考案に係る対象衣類の、上着の下部の裾部における請求項２の考案の形状、構造において、調整紐１が、下方にたるんだ状態の正面図。